(57)【要約】  【課題】引き出し装置を備えた冷蔵庫に関し、ガタが小さく、容器に荷重を加えた場合でも滑らかに引き出しを開閉できる冷蔵庫を提供する。  【解決手段】内箱２と、外箱３と、内箱２と外箱３間に充填した発泡断熱材４とよりなる前面開口部５を有する断熱箱体６と、前面開口部５に配置する引き出し扉１４と、容器８と、容器８を前後に移動可能とするレール部材９とからなり、レール部材９は固定レール１０と移動レール１１とを有し、固定レール１０と移動レール１１はそれぞれ回転支持部材１３で支持され固定レール１０と移動レール１１を予め組み込んだ状態で、内箱２の左右に取り付け、レール部材９の移動レール１１の前端および後端を連結する矩形状の連結部材１６を備えたものであり、レール部材９の左右の歪みが無くせることで、レール部材９の取り付け精度が向上し、滑らかな引き出し扉本体の開閉が行えると共に、引き出し扉本体の強度を上げることができる。【選択図】図１
2006029735.tif 000002
【特許請求の範囲】
【請求項１】
内箱と、外箱と、前記内箱と外箱間に充填した発泡断熱材とよりなる前面開口部を有する断熱箱体と、前面開口部に配置する引き出し扉と、容器と、前記容器を前後に移動可能とするレール部材とからなり、前記レール部材は固定レールと移動レールとを有し、前記固定レールと移動レールはそれぞれ回転支持部材で支持され前記固定レールと移動レールを予め組み込んだ状態で、内箱の左右に取り付け、前記レール部材の移動レールの前端および後端を連結する矩形状の連結部材を備えたことを特徴とする冷蔵庫。
【請求項２】
連結部材の下部には前記容器を受けるための断面Ｌ字状の受け部を全周にわたって一体に形成したことを特徴とする請求項１に記載の冷蔵庫。
【請求項３】
移動レールの上方から連結部材を載置し、移動レールの左右前部のみに上方からビスにて連結部材と移動レールを固定したことを特徴とする請求項１または２に記載の冷蔵庫。
【請求項４】
前面開口部に配置する引き出し扉は扉内板を有し、前記引き出し扉に連結部材を取り付けるための取付部を連結部材に備え、前記扉内板に凸状突起部を設け、前記凸状突起部に嵌合するように連結部材の取付部に穴もしくは凹形状部を設けたことを特徴とする請求項１から３のいずれか一項に記載の冷蔵庫。
【請求項５】
請求項１から４のいずれか一項の冷蔵庫をシステムキッチンの一区画に備えたことを特徴とするシステムキッチン冷蔵庫。
【発明の詳細な説明】
【技術分野】
【０００１】
本発明は、引き出し装置を備えた冷蔵庫に関し、特に引き出し装置の操作性向上に関するものである。
【背景技術】
【０００２】
近年、冷蔵庫は大型化に伴い、収納量が増加の傾向にあり、収納量の増加、使い勝手の向上を図るため、引き出し装置を備えたものが主流となってきている（例えば、特許文献１参照）。
【０００３】
以下、図面を参照しながら、上記従来の引き出し装置を備えた冷蔵庫について説明する。
【０００４】
図１０は、従来の冷蔵庫の引き出し式扉の斜視図である。図１１は従来の冷蔵庫の引き出し装置の要部断面図である。図１２は、従来の冷蔵庫の引き出し装置の断面図である。
【０００５】
従来技術の冷蔵庫の引き出し装置２５は、冷蔵庫１本体前面の開閉自在の引き出し扉本体１４と、この引き出し扉本体１４裏面左右に一端を固定したフレーム２６と、後端を連結した連結フレーム２７と、フレーム２６の後端に取り付けられた可動ローラ２８と、内箱２或いは、機械室仕切板７側壁に固定，取り付けられた、前記フレーム２６と可動ローラ２８を摺動支持する固定レール２９と固定ローラ３０と、前記フレーム２６と、連結フレーム２７に載置された容器８で構成さレール。また、フレーム側面３１は平面であり、固定レール２９の溝部３２も平面である。
【０００６】
そして、引き出し扉本体１４の扉裏面左右にあらかじめ固定したフレーム２６の後端に取り付けられた可動ローラ２８を、冷蔵庫１本体側に、あらかじめ取り付けた固定レール２９の溝部３２に挿入し、フレーム２６の底面と固定ローラ３０が接して摺動するように組み込まれるものである。
【０００７】
上記構成において、引き出し扉本体１４を開閉すると、引き出し扉本体１４に一端を固定したフレーム２６と、フレーム２６に連結された連結フレーム２７と、これらに載置された容器８と可動ローラ２８が、固定レール２９と固定ローラ３０上を摺動し、引き出し扉本体１４と同期した前後方向の動きを可能としている。
【特許文献１】実公昭６０−２７９１３号公報
【発明の開示】
【発明が解決しようとする課題】
【０００８】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取り付けばらつき、組立性を考慮して、組み込み状態でレールとローラ間には、ある程度のクリアランスを設定して設計している。このクリアランスにより扉１の開閉時に左右のガタツキが生じ、操作性が損なわれ、操作時の品位が上がらないという課題を有していた。
【０００９】
本発明は上記従来の課題を解決するものであり、ガタツキの少ない高品位かつ荷重を加えても操作力の小さい使い勝手の良いレールを有し、かつレール組立て時において、取り付け精度を上げることで滑らかな引き出し扉の開閉が行える様に対応をした冷蔵庫を提供することを目的とする。
【課題を解決するための手段】
【００１０】
上記従来の課題を解決するために、本発明の冷蔵庫は、固定レールと移動レールとをあらかじめ組み込んだ状態のレール部材を内箱に固定し、容器をレール部材に支持するものにおいて、レール部材の移動レールの前端および後端を連結する矩形状の連結部材を備えたものである。
【００１１】
これによって固定レールと移動レールとのクリアランスを小さくすることができ、ガタの少ない高品位な引き出しを構成することができるとともに、容器の着脱性の向上、重量物保存時の構造強度を高めることができる。
【発明の効果】
【００１２】
本発明の冷蔵庫は、ガタが小さく、容器に荷重を加えた場合でも滑らかに引き出しを開閉することができ、高品位で使い勝手の良い、信頼性の高い引き出し装置を備えた冷蔵庫を提供することができる。
【発明を実施するための最良の形態】
【００１３】
請求項１に記載の発明は、内箱と、外箱と、前記内箱と外箱間に充填した発泡断熱材とよりなる前面開口部を有する断熱箱体と、前面開口部に配置する引き出し扉と、容器と、前記容器を前後に移動可能とするレール部材とからなり、前記レール部材は固定レールと移動レールとを有し、前記固定レールと移動レールはそれぞれ回転支持部材で支持され前記固定レールと移動レールを予め組み込んだ状態で、内箱の左右に取り付け、前記レール部材の移動レールの前端および後端を連結する矩形状の連結部材を備えたものであり、レール部材の左右の歪みが無くせることで、レール部材の取り付け精度が向上し、滑らかな引き出し扉本体の開閉が行えると共に、引き出し扉本体の強度を上げることができる。
【００１４】
請求項２に記載の発明は、請求項１に記載の発明において、連結部材の下部には前記容器を受けるための断面Ｌ字状の受け部を全周にわたって一体に形成したものであり、引き出し扉本体の強度をさらに高めることができるとともに、容器の着脱性が向上する。
【００１５】
請求項３に記載の発明は、請求項１または２に記載の発明において、移動レールの上方から連結部材を載置し、移動レールの左右前部のみに上方からビスにて連結部材と移動レールを固定したものであり、移動レールへの連結部材の組立性の向上、サービス性の向上を図れる。
【００１６】
請求項４に記載の発明は、請求項１から３のいずれか一項に記載の発明において、前面開口部に配置する引き出し扉は扉内板を有し、前記引き出し扉に連結部材を取り付けるための取付部を連結部材に備え、前記扉内板に凸状突起部を設け、前記凸状突起部に嵌合するように連結部材の取付部に穴もしくは凹形状部を設けたものであり、位置決めが容易になり引き出し扉への連結部材の組立作業性が向上する。
【００１７】
請求項５に記載の発明は、請求項１から３のいずれか一項の冷蔵庫をシステムキッチンの一区画に備えたものであり、システムキッチンの使い勝手の向上とスペースの有効利用を図ることができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫引き出し扉開時の平面断面図、図２は同実施の形態の冷蔵庫引き出し扉閉時の平面断面図、図３は図１のＡ部の部分平面断面図、図４は図１のＢ部の部分平面断面図、図５は図１のＣ部の部分平面断面図、図６は図１のＤ部の部分平面断面図、図７は同実施の形態の冷蔵庫のレール部材の分解組立図、図８は同実施の形態の冷蔵庫のレール部材の断面図、図９は同実施の形態の冷蔵庫の正面図である。
【００２０】
図１から図９において、本発明の冷蔵庫１は、内箱２と、外箱３と、前記内箱２と外箱３間に充填した発泡断熱材４とよりなる前面開口部５を有する断熱箱体６と、前記断熱箱体６内部に備えた機械室仕切板７と、容器８と、前記容器８を前後に移動可能とするレール部材９とからなり、前記レール部材９は固定レール１０と、移動レール１１と、固定レール１０と移動レール１１との間に備えられた中間走行レール１２と、中間走行レール１２と固定レール１０および移動レール１１との係合を支持する回転支持部材である複数のベアリング１３とからなり、固定レール１０と移動レール１１と中間走行レール１２とベアリング１３とを予め組み込んだ状態で固定レール１０を内箱２或いは、機械室仕切板部７の両側壁面に固定し、移動レール１１を引き出し扉本体１４に連結部材１６を介して固定している。
【００２１】
なお、固定レール１０と移動レール１１と、固定レール１０と移動レール１１との間にベアリング１３を介して配設した中間走行レール１２とからなるレール部材９は予め組み込んだものであり、それぞれのレール間のクリアランスを最小限に設定することができる。
【００２２】
更に内箱２或いは、機械室仕切板７部の両側壁面に固定された左右のレール部材９は左右対称の形状を有し、左右共に備えることでより良い摺動性を発揮する。
【００２３】
内部の容器８はレール部材９を内箱２或いは、機械室仕切板部７に固定後にレール部材９の移動レール１１に支持し、引き出し扉本体１４を前後方向に引き出すのと同期して移動レール１１と共に前後に移動し、更に引き出し扉本体１４を少なくとも全開した時に容器８は上方向に着脱自在となっている。
【００２４】
また、連結部材１６はレール部材９の左右移動レール１１の前端および後端を連結するように矩形形状をなし、連結部材１６の下部には容器８を受けるための断面Ｌ字状の受け部１６ａを全周にわたって一体に形成し、移動レール１１の上方から連結部材１６を載置し、移動レール１１の左右前部のみに上方からビスにて連結部材１６と移動レール１１を固定している。
【００２５】
また、引き出し扉本体１４の扉内板１５より凸状の突起１７ａを設け、その相対する位置に、連結部材１６の取り付け部に嵌合する穴もしくは、凹形状部１８ａを設けている。
【００２６】
上記構成において、固定レール１０と移動レール１１と、固定レール１０と移動レール１１との間にベアリング１３を介して配設した中間走行レール１２とからなるレール部材９は予め組み込んだものであり、それぞれのレール間のクリアランスを最小限に設定することができるので、ガタの少ない高品位な引き出しを構成することができる。
【００２７】
また、連結部材１６はレール部材９の左右移動レール１１の前端および後端を連結するように矩形形状をなしているので、レール部材の左右の歪みが無くせることで、レール部材の取り付け精度が向上し、滑らかな引き出し扉本体の開閉が行えると共に、引き出し扉本体の強度を上げることができる。
【００２８】
また、連結部材１６の下部には容器８を受けるための断面Ｌ字状の受け部１６ａを全周にわたって一体に形成しているので、引き出し扉本体の強度をさらに高めることができるとともに、容器８の着脱性が向上する。
【００２９】
また、移動レール１１の上方から連結部材１６を載置し、移動レール１１の左右前部のみに上方からビスにて連結部材１６と移動レール１１を固定しているので、移動レール１１への連結部材１６の組立性の向上、サービス性の向上を図ることができる。
【００３０】
また、引き出し扉本体１４の扉内板１５より凸状の突起１７ａを設け、その相対する位置へ、連結部材１６の取り付け部に嵌合する穴もしくは、凹形状部１８ａを設けているので、位置決めが容易になり引き出し扉への連結部材の組立作業性が向上する。
【００３１】
なお、本実施の形態では、扉内板１５より凸状の突起１７ａを設け、その相対する位置へ、連結部材１６の取り付け部に嵌合する穴もしくは、凹形状部１８ａを設けているが、扉内板１５に穴もしくは、凹形状部を設け、その相対する位置の連結部材１６の取り付け部に凸状の突起を設けてもよい。
【００３２】
また、本実施の形態の冷蔵庫をユニットとしてシステムキッチンの最下部のデッドスペースとなる区画に備えてもよい。この場合、システムキッチンの使い勝手の向上とスペースの有効利用を図ることができる。
【産業上の利用可能性】
【００３３】
以上のように、本発明にかかる冷蔵庫は、ガタが小さく、容器に荷重を加えた場合でも滑らかに引き出しを開閉することができ、高品位で使い勝手の良い、信頼性の高い引き出し装置を提供できるので、引き出し扉を備えた貯蔵収納庫等の用途にも適用できる。
【図面の簡単な説明】
【００３４】
【図１】本発明の実施の形態１における冷蔵庫引き出し扉開時の平面断面図
【図２】同実施の形態の冷蔵庫引き出し扉閉時の平面断面図
【図３】図１のＡ部の部分平面断面図
【図４】図１のＢ部の部分平面断面図
【図５】図１のＣ部の部分平面断面図
【図６】図１のＤ部の部分平面断面図
【図７】同実施の形態の冷蔵庫のレール部材の分解組立図
【図８】同実施の形態の冷蔵庫のレール部材の断面図
【図９】同実施の形態の冷蔵庫の正面図
【図１０】従来の冷蔵庫の引き出し式扉の斜視図
【図１１】従来の冷蔵庫の引き出し装置の要部断面図
【図１２】従来の冷蔵庫の引き出し装置の断面図
【符号の説明】
【００３５】
１    冷蔵庫
２    内箱
３    外箱
４    発泡断熱材
５    前面開口部
６    断熱箱体
８    容器
９    レール部材
１０  固定レール
１１  移動レール
１２  中間走行レール
１３  ベアリング
１４  引き出し扉本体
１５  扉内板
１６  連結部材
１７ａ  凸状の突起
１８ａ  穴もしくは、凹形状部
【図１】
2006029735.tif 000003
【図２】
2006029735.tif 000004
【図３】
2006029735.tif 000005
【図４】
2006029735.tif 000006
【図５】
2006029735.tif 000007
【図６】
2006029735.tif 000008
【図７】
2006029735.tif 000009
【図８】
2006029735.tif 000010
【図９】
2006029735.tif 000011
【図１０】
2006029735.tif 000012
【図１１】
2006029735.tif 000013
【図１２】
2006029735.tif 000014